(57)【要約】【課題】シャッターカーテンを閉めた状態で、縦枠に沿って落ちる水が室内から視認されるのを抑制する。【解決手段】縦枠７は、小口部７Ｋにおいて開口するホロー部７Ｊと、シャッターガイドが連結されるガイド連結部７Ｈと、小口部７Ｋよりも上方の位置まで突出する壁部７Ｌを有する。上枠５は、小口部７Ｋよりも上方の位置に配置される上面部５Ｂと、上面部５Ｂから室外側に向かって形成された水切り部５Ｈを有する。キャップ８は、小口部７Ｋの開口を塞ぐ下面部８Ａと、上枠５の上面部５Ｂと連続する上面部８Ｂと、水切り部５Ｈと連続して水をガイド連結部７Ｈよりも外周部７Ｂ側の位置まで誘導する誘導部８Ｆを有し、小口部７Ｋに当接した状態で、壁部７Ｌと上枠５の間に位置する。【選択図】  図８
2019183442.tif 000002
【特許請求の範囲】
【請求項１】
枠体と、前記枠体の開口部に配置された障子と、を備えた建具であって、
前記枠体は、一対の縦枠と、前記一対の縦枠の間に配置された上枠と、前記縦枠と前記上枠の接続部に設けられたキャップと、を有し、
前記縦枠は、前記縦枠の長手方向に延びて上端の小口部において開口するホロー部と、前記ホロー部の室外側に位置して前記障子の室外側で昇降可能なシャッターカーテンをガイドするシャッターガイドが連結されるガイド連結部と、前記ホロー部の前記縦枠の外周部側に位置して前記小口部よりも上方の位置まで突出する壁部と、を有し、
前記上枠は、前記小口部よりも上方の位置に配置される上面部と、前記上面部から室外側に向かって形成された水切り部と、を有し、
前記キャップは、前記小口部の開口を塞ぐ下面部と、前記上枠の上面部と連続する上面部と、前記水切り部と連続して水を前記ガイド連結部よりも前記縦枠の外周部側の位置まで誘導する誘導部と、を有し、前記小口部に当接した状態で、前記壁部と前記上枠の間に位置する建具。
【請求項２】
請求項１に記載された建具において、
前記誘導部は、前記ガイド連結部を含む前記縦枠と前記シャッターガイドにより形成される空間に水を誘導する建具。
【請求項３】
請求項１又は２に記載された建具において、
前記キャップと前記壁部の間、及び、前記キャップと前記上枠の間のそれぞれに配置された２つの止水材と、
前記上枠を前記壁部に取り付けるとともに、前記壁部と前記上枠の間に位置する前記キャップと前記２つの止水材を締め付けるネジと、
を備えた建具。
【請求項４】
請求項３に記載された建具において、
前記キャップは、前記キャップに一体に形成されて、前記ネジを前記壁部から前記上枠までガイドするガイド部を有する建具。
【請求項５】
請求項１ないし４のいずれかに記載された建具において、
前記上枠は、前記上枠の上面部の室内側の部分から上方に向かって形成された水止め部を有し、
前記キャップは、前記キャップの上面部の室内側の部分から上方に向かって形成されて、前記上枠の水止め部と連続する水止め部を有する建具。
【請求項６】
請求項１ないし５のいずれかに記載された建具において、
前記ガイド連結部は、前記縦枠の室外側面に形成され、
前記キャップは、前記誘導部の下側に形成されて、前記縦枠の室外側面と面一に配置される室外側面を有する建具。
【発明の詳細な説明】
【技術分野】
【０００１】
本発明は、シャッターのシャッターガイドが連結される縦枠を備えた建具に関する。
【背景技術】
【０００２】
建具の枠体は、一般に、上枠、下枠、及び、一対の縦枠を枠組みすることで形成される。また、枠体の枠として、ホロー部を有する枠が広く用いられている。ホロー部を有する縦枠では、ホロー部の上端の小口部に開口が形成されて、小口部の開口からホロー部の内側に水（例えば、雨水）が入ることがある。これに対し、従来、蓋部材を縦枠の小口部に固定して、蓋部材により小口部を塞ぐサッシ枠小口部の止水構造が知られている（特許文献１参照）。
【０００３】
ところが、特許文献１に記載された従来の止水構造では、小口部の止水性能を確保するため、弾性止水材を蓋部材の平板部の縁部に設ける必要がある。弾性止水材は、例えば、平板部の平面部に貼り付けられて、平板部の縁部に折り込まれる。このように弾性止水材を平板部の縁部に設けるときには、弾性止水材の貼り付けと折り込みの作業に手間がかかるとともに、弾性止水材を正確に設けるために、作業を慎重に行う必要もある。また、蓋部材を小口部に押し込んで室外側に向けて押圧するため、蓋部材を小口部に取り付け難い。
【０００４】
シャッターが設けられた建具では、シャッターの取り付け用の部材が小口部の周辺に位置することがある。この場合には、蓋部材の小口部への取り付け作業がより行い難くなる。また、特許文献１に記載された従来の止水構造では、縦枠と上枠の接合部において、縦枠が勝ち側となり、上枠が一対の縦枠の間に配置される。そのため、シャッターのシャッターカーテンを閉めた状態で、上枠で受けた水（例えば、雨水）が縦枠まで流れて、ホロー部の外側で、水が縦枠に沿って落ちることがある。水が落ちる箇所によっては、縦枠に沿って落ちる水が室内から視認される虞がある。
【先行技術文献】
【特許文献】
【０００５】
【特許文献１】特許第４３１３１２９号公報
【発明の概要】
【発明が解決しようとする課題】
【０００６】
本発明は、前記従来の問題に鑑みなされたもので、その目的は、縦枠のホロー部の小口部における止水性能を容易に確保するとともに、シャッターカーテンを閉めた状態で、縦枠に沿って落ちる水が室内から視認されるのを抑制することである。
【課題を解決するための手段】
【０００７】
本発明は、枠体と、前記枠体の開口部に配置された障子と、を備えた建具である。前記枠体は、一対の縦枠と、前記一対の縦枠の間に配置された上枠と、前記縦枠と前記上枠の接続部に設けられたキャップと、を有する。前記縦枠は、前記縦枠の長手方向に延びて上端の小口部において開口するホロー部と、前記ホロー部の室外側に位置して前記障子の室外側で昇降可能なシャッターカーテンをガイドするシャッターガイドが連結されるガイド連結部と、前記ホロー部の前記縦枠の外周部側に位置して前記小口部よりも上方の位置まで突出する壁部と、を有する。前記上枠は、前記小口部よりも上方の位置に配置される上面部と、前記上面部から室外側に向かって形成された水切り部と、を有する。前記キャップは、前記小口部の開口を塞ぐ下面部と、前記上枠の上面部と連続する上面部と、前記水切り部と連続して水を前記ガイド連結部よりも前記縦枠の外周部側の位置まで誘導する誘導部と、を有し、前記小口部に当接した状態で、前記壁部と前記上枠の間に位置する。
【発明の効果】
【０００８】
本発明によれば、縦枠のホロー部の小口部における止水性能を容易に確保できるとともに、シャッターカーテンを閉めた状態で、縦枠に沿って落ちる水が室内から視認されるのを抑制することができる。
【図面の簡単な説明】
【０００９】
【図１】本実施形態の建具の正面図である。
【図２】本実施形態の建具の横断面図である。
【図３】本実施形態の建具の一部を分解して示す斜視図である。
【図４】本実施形態の上枠の断面図である。
【図５】本実施形態のキャップの断面図である。
【図６】本実施形態の２つの止水材を示す平面図である。
【図７】本実施形態の建具の一部を示す正面図である。
【図８】本実施形態の建具の一部を示す斜視図である。
【発明を実施するための形態】
【００１０】
本発明の建具の一実施形態について、図面を参照して説明する。
本実施形態の建具は、縦枠の小口部の止水構造を備えた建具である。以下では、スライド式の障子を備えた窓を例にとり、本実施形態の建具について説明する。
【００１１】
図１は、本実施形態の建具１の正面図であり、室外側からみた建具１の概略構成を示している。また、図１では、シャッター２を模式的に二点鎖線で示している。図１において、建具１の上下方向が垂直方向であり、建具１の左右方向が水平方向である。
図示のように、建具１は、建物の開口部に設置される引き違い窓であり、建物の室内と室外の間に配置される。また、建具１は、引き違い障子である一対の障子３と、一対の障子３を囲む枠体４と、枠体４に連結されたシャッター２と、を備えている。
【００１２】
一対の障子３は、スライドにより移動する方形状の可動障子であり、室内側の内障子３Ａと室外側の外障子３Ｂからなる。一対の障子３は、枠体４の開口部４Ａに開閉可能に配置されて、開口部４Ａ内で、水平方向にスライドして移動する。障子３の移動（スライド）により、枠体４の開口部４Ａが開閉される。障子３は、方形状の框体１０と、框体１０内に配置されたパネル体１１を有している。框体１０は、枠組みされた４つの框１２〜１５（上框１２、下框１３、召し合せ框１４、戸先框１５）を有している。框１２〜１５は、框体１０を構成する長尺な框材であり、例えば、押出成形により形成されている。パネル体１１は、例えば、複数のガラス板を有する複層ガラスであり、框体１０に嵌め込まれている。
【００１３】
枠体４は、建物の開口部に設置される方形状の開口枠（窓枠）であり、枠組みされた４つの枠５〜７（上枠５、下枠６、一対の縦枠７）を有している。枠５〜７は、枠体４を構成する長尺な枠材であり、例えば、押出成形により形成されている。上枠５と下枠６は、上下の横枠であり、一対の縦枠７の間に配置されている。上枠５の長手方向の両側の端部がそれぞれ縦枠７に取り付けられて、上枠５と縦枠７が接続する。下枠６の長手方向の両側の端部がそれぞれ縦枠７に取り付けられて、下枠６と縦枠７が接続する。４つの枠５〜７が方形状に組み合わされて、方形状の開口部４Ａが枠体４の内側に形成される。一対の障子３は、枠体４の開口部４Ａに移動可能（スライド可能）に配置されており、それぞれ上枠５及び下枠６の長手方向に移動する。
【００１４】
シャッター２は、シャッターケース２０と、障子３の室外側で昇降可能なシャッターカーテン２１と、縦枠７に連結された一対のシャッターガイド２２と、を有している。シャッターケース２０は、上枠５の上方に設けられて、枠体４に取り付けられている。シャッターカーテン２１は、シャッターケース２０内に収容されるとともに、上下方向に移動して開閉する（矢印Ｗ参照）。また、シャッターカーテン２１は、シャッターケース２０内に設けられた回転軸（図示せず）に取り付けられており、回転軸に巻き付けられる。シャッターガイド２２は、縦枠７の長手方向に沿って配置されて、シャッターカーテン２１の昇降時（開閉時）に、シャッターカーテン２１をガイドする。
【００１５】
シャッターカーテン２１を閉めるときには、シャッターカーテン２１がシャッターケース２０から下方に繰り出されて、シャッターカーテン２１の下端部が下枠６まで移動する。シャッターカーテン２１により、障子３の室外側で、枠体４の開口部４Ａが閉鎖される。シャッターカーテン２１を開けるときには、シャッターカーテン２１は、シャッターケース２０に向かって巻き上げられて、上方に移動し、シャッターケース２０に収容される。シャッターカーテン２１の巻き上げにより、障子３の室外側で、枠体４の開口部４Ａが開放される。
【００１６】
図２は、本実施形態の建具１の横断面図であり、建具１が設置された建物３０の一部を建具１とともに示している。
図示のように、建具１の一方側は、室外側であり、建具１の他方側は、室内側である。また、建具１において、見付け方向は、各枠５〜７の見付け方向であり、建具１を正面からみたときの各枠５〜７の幅方向である。見込み方向は、各枠５〜７の見込み方向であり、建具１を正面からみたときの各枠５〜７の奥行方向である。ここでは、見込み方向は、室内外方向である。また、見込み方向の一方側は、室外側であり、見込み方向の他方側は、室内側である。
【００１７】
枠体４の縦枠７は、中空状に形成された形材である。また、縦枠７は、枠体４の開口部４Ａを形成する内周部７Ａと、内周部７Ａの側方に位置する外周部７Ｂと、内周部７Ａに装着されたカバー部材７Ｃと、室外側に位置する室外側部７Ｄと、室内側に位置する室内側部７Ｅと、建物３０に固定される固定部７Ｆと、内周部７Ａに形成された突片７Ｇと、室外側部７Ｄに形成されたガイド連結部７Ｈ及び当接片７Ｉと、１つのホロー部７Ｊと、を有している。縦枠７の各部は、縦枠７の長手方向（上下方向）の両端部（上端部、下端部）の間で、縦枠７の長手方向に延びる。
【００１８】
縦枠７の内周部７Ａは、枠体４の内周部の一部（側部）であり、縦枠７の外周部７Ｂは、枠体４の外周部の一部（側部）である。内周部７Ａと外周部７Ｂは、縦枠７の見込み方向に沿って形成されて、縦枠７の見付け方向において互いに対向する。カバー部材７Ｃは、内周部７Ａに対して枠体４の開口部４Ａ側に配置されて、内周部７Ａの一部を覆う。室外側部７Ｄは、縦枠７の室外側に配置される部分であり、室内側部７Ｅは、縦枠７の室内側に配置される部分である。室外側部７Ｄと室内側部７Ｅは、縦枠７の見付け方向に沿って形成されて、縦枠７の見込み方向おいて互いに対向する。
【００１９】
固定部７Ｆは、屈曲形状に形成された屈曲片であり、室外側部７Ｄから建物３０に向かって形成されている。突片７Ｇは、内周部７Ａの見込み方向の複数箇所に形成されて、内周部７Ａから枠体４の開口部４Ａ側に向かって突出している。ガイド連結部７Ｈは、ホロー部７Ｊの室外側に位置する突片（連結片）であり、ホロー部７Ｊ及び室外側部７Ｄから室外側に向かって突出している。シャッター２のシャッターガイド２２がガイド連結部７Ｈに連結されて、縦枠７にシャッターガイド２２が取り付けられる。当接片７Ｉは、室外側部７Ｄから室外側に向かって突出して、シャッターガイド２２に当接する。
【００２０】
ホロー部７Ｊは、縦枠７の長手方向に延びる中空部であり、内周部７Ａ、外周部７Ｂ、室外側部７Ｄ、及び、室内側部７Ｅに囲まれて、中空状に形成されている。ここでは、内周部７Ａは、ホロー部７Ｊの内周側壁部であり、外周部７Ｂは、ホロー部７Ｊの外周側壁部である。また、室外側部７Ｄは、ホロー部７Ｊの室外側壁部であり、室内側部７Ｅは、ホロー部７Ｊの室内側壁部である。ホロー部７Ｊは、複数の壁部と、複数の壁部により形成された内部空間からなる。ガイド連結部７Ｈは、ホロー部７Ｊよりも室外側に形成されており、ホロー部７Ｊの室外側壁部（室外側部７Ｄ）から突出して、ホロー部７Ｊとシャッターガイド２２の間に位置する。
【００２１】
シャッターガイド２２は、溝状に形成されたガイドレール２３と、室内側に突出する連結片２４と、を有している。シャッターカーテン２１の縦縁部２５は、ガイドレール２３内に配置されて、ガイドレール２３に移動可能に保持されている。シャッターガイド２２は、ガイドレール２３により、シャッターカーテン２１の縦縁部２５を縦枠７の長手方向に沿ってガイドする。連結片２４は、縦枠７に向かって突出して、ガイド連結部７Ｈに重ね合わされる。連結片２４は、取付部材（例えば、ネジ）により、ガイド連結部７Ｈに取り付けられて、ガイド連結部７Ｈ及び縦枠７に連結される。従って、ガイド連結部７Ｈは、シャッターガイド２２が取り付けられるガイド取付部である。
【００２２】
枠体４（図１参照）は、縦枠７と上枠５の接続部４Ｂに設けられたキャップ８を有している。接続部４Ｂは、縦枠７と上枠５の端部とが接続される部分であり、接続部４Ｂ及びキャップ８は、上枠５の長手方向の両外側に位置している。キャップ８は、縦枠７のホロー部７Ｊを塞ぐ止水用の縦枠キャップ（止水部材）であり、接続部４Ｂに保持されている。一対の縦枠７のそれぞれにおいて、キャップ８は、ホロー部７Ｊの上端の小口部７Ｋに装着されて、上枠５の長手方向の端部と縦枠７との間に配置されている。
【００２３】
図３は、本実施形態の建具１の一部を分解して示す斜視図であり、縦枠７と上枠５の接続部４Ｂの周辺部分を示している。
図示のように、縦枠７では、小口部７Ｋがホロー部７Ｊの上端に形成されて、ホロー部７Ｊが上端の小口部７Ｋにおいて開口している。即ち、ホロー部７Ｊの小口部７Ｋは、開口を有するホロー部７Ｊの上端部であり、上方に向かって開放されている。
【００２４】
縦枠７は、縦枠７の見付け方向において、ホロー部７Ｊ及びガイド連結部７Ｈよりも縦枠７の外周部７Ｂ側に形成された壁部７Ｌを有している。壁部７Ｌは、ホロー部７Ｊの外周部７Ｂ側に位置する外壁部であり、小口部７Ｋよりも上方の位置まで突出している。ここでは、壁部７Ｌは、縦枠７の外周部７Ｂ（ホロー部７Ｊの外周側壁部）の上端側の部分であり、ホロー部７Ｊの小口部７Ｋは、壁部７Ｌの上端よりも下方に位置している。複数の貫通孔７Ｍ〜７Ｑが、板状の壁部７Ｌに形成されて、壁部７Ｌを縦枠７の見付け方向に貫通している。
【００２５】
図４は、本実施形態の上枠５の断面図であり、上枠５の長手方向に直交する断面を示している。
図３、図４に示すように、枠体４の上枠５は、中空状に形成された形材である。また、上枠５は、枠体４の開口部４Ａを形成する内周部５Ａと、外周部である上面部５Ｂと、室外側に位置する室外側部５Ｃと、室内側に位置する室内側部５Ｄと、内周部５Ａに形成された突片５Ｅ、５Ｆと、室内側に位置する水止め部５Ｇと、室外側に位置する水切り部５Ｈと、複数のホロー部５Ｉと、ホロー部５Ｉ内に形成された複数のネジ孔部５Ｏ〜５Ｑと、を有している。上枠５の各部は、上枠５の長手方向（左右方向）の両端部の間で、上枠５の長手方向に延びる。
【００２６】
上枠５の内周部５Ａは、枠体４の内周部の一部（上部）であり、見込み方向の一部に形成された凹部５Ｊを有している。上枠５の上面部５Ｂは、枠体４の外周部の一部（上部）であり、内周部５Ａの上方に位置している。内周部５Ａと上面部５Ｂは、上枠５の見込み方向に沿って形成されて、上枠５の見付け方向において互いに対向する。室外側部５Ｃは、上枠５の室外側に配置される部分であり、室内側部５Ｄは、上枠５の室内側に配置される部分である。室外側部５Ｃと室内側部５Ｄは、上枠５の見付け方向に沿って形成されている。
【００２７】
突片５Ｅ、５Ｆは、内周部５Ａの見込み方向の複数箇所に形成されて、内周部５Ａから枠体４の開口部４Ａ側に向かって突出している。２つの突片５Ｅは、それぞれ障子３をガイドするガイドレールであり、１つの突片５Ｆは、室外側部５Ｃの下端部に連続する垂下片である。複数のネジ孔部５Ｏ〜５Ｑは、上枠５に一体に形成された雌ネジ部であり、上枠５の内側に形成されている。
【００２８】
水止め部５Ｇは、上枠５の上面部５Ｂから上方に突出する突片（水止め片）であり、上面部５Ｂの室内側の部分（ここでは、室内側の端部）から上方に向かって形成されている。上面部５Ｂは、水受け部であり、上面で水（雨水、結露等）を受ける。例えば、雨水がシャッターケース２０内に入ったときに、上面部５Ｂは、シャッターケース２０から流出する雨水を受ける。水止め部５Ｇは、上面部５Ｂの水を止めて、水が上面部５Ｂから室内側に流出するのを防止する。
【００２９】
水切り部５Ｈは、上面部５Ｂから室外側に向かって形成され突片（水切り片）であり、室外側の端部（先端部）に形成されて上方に突出する突起５Ｋを有している。また、水切り部５Ｈは、上面部５Ｂの室外側の端部に連続して形成されて、上面部５Ｂから室外側に突出している。上面部５Ｂの上面は、平面状に形成され、室内側から室外側に向かって斜め下方に傾斜している。上面の傾斜により、上面部５Ｂの水は、室外側に流動して、上面部５Ｂから水切り部５Ｈに向かって流れる。
【００３０】
水切り部材（図示せず）が水切り部５Ｈに取り付けられて、水切り部５Ｈが水切り部材とともに上枠５における水切り機能を発揮する。或いは、水切り部５Ｈは、単独で水切り機能を発揮する。ここでは、水切り部５Ｈは、水切り取付部であり、水切り部材とともに水切り機能を発揮する。水切り部材は、水切り部５Ｈの装着部である突起５Ｋに装着されて、水切り部５Ｈに取り付けられる。
【００３１】
図５は、本実施形態のキャップ８の断面図である。なお、キャップ８の断面形状は、上枠５の断面形状に対応した形状に形成されており、キャップ８は、上枠５の長手方向の端部に連続して配置される。そのため、キャップ８に関する方向には、上枠５に関する方向を用いる。
図３、図５に示すように、キャップ８は、中空状に形成された形材であり、キャップ８の肉厚は、上枠５の肉厚よりも厚くなっている。また、キャップ８は、下面部８Ａと、上面部８Ｂと、室外側に位置する室外側部８Ｃと、室内側に位置する室内側部８Ｄと、室内側に位置する水止め部８Ｅと、室外側に位置する誘導部８Ｆと、複数のホロー部８Ｇと、ホロー部８Ｇ内に形成されたネジ孔部８Ｎ及び複数のガイド部８Ｏ〜８Ｑと、を有している。
【００３２】
下面部８Ａと上面部８Ｂは、上枠５の見込み方向に沿って形成されて、上枠５の見付け方向において互いに対向する。下面部８Ａの下面と上面部８Ｂの上面は、平面状に形成されている。室外側部８Ｃは、キャップ８の室外側に配置される部分であり、室内側部８Ｄは、キャップ８の室内側に配置される部分である。室外側部８Ｃと室内側部８Ｄは、上枠５の見付け方向に沿って形成されている。ネジ孔部８Ｎは、キャップ８に一体に形成された雌ネジ部であり、複数のガイド部８Ｏ〜８Ｑは、キャップ８に一体に形成されたガイド孔部である。ネジ孔部８Ｎ及び複数のガイド部８Ｏ〜８Ｑは、キャップ８の内側に形成されている。
【００３３】
水止め部８Ｅは、キャップ８の上面部８Ｂから上方に突出する突片（水止め片）であり、上面部８Ｂの室内側の部分（ここでは、室内側の端部）から上方に向かって形成されている。上面部８Ｂは、水受け部であり、上面で水（雨水、結露等）を受ける。例えば、雨水がシャッターケース２０内に入ったときに、上面部８Ｂは、シャッターケース２０から流出する雨水を受ける。水止め部８Ｅは、上面部８Ｂの水を止めて、水が上面部８Ｂから室内側に流出するのを防止する。
【００３４】
誘導部８Ｆは、上面部８Ｂから室外側に向かって形成された突片（誘導片）であり、室外側の端部（先端部）に形成されて上方に突出する突起８Ｈを有している。また、誘導部８Ｆは、上面部８Ｂの室外側の端部に連続して形成されて、上面部８Ｂから室外側に突出している。上面部８Ｂの上面は、室内側から室外側に向かって斜め下方に傾斜している。上面の傾斜により、上面部８Ｂの水は、室外側に流動して、上面部８Ｂから誘導部８Ｆに向かって流れる。水は、誘導部８Ｆの突起８Ｈにより止められて、誘導部８Ｆにより誘導される。
【００３５】
建具１（図３参照）は、上枠５の長手方向に延びる背板４０と、取付部材である複数のネジ４１〜４５（第１〜第５ネジ４１〜４５）と、複数の止水材５１〜５４（第１〜第４止水材５１〜５４）と、を備えている。背板４０は、下縁部に沿って形成された溝状の係合部４６を有している。背板４０の係合部４６が上枠５の水止め部５Ｇの上端部と係合して、背板４０が上枠５の水止め部５Ｇに取り付けられる。また、背板４０の端面が縦枠７の壁部７Ｌに突き合わされて、第１ネジ４１により、背板４０が縦枠７の壁部７Ｌに取り付けられる。第１ネジ４１は、壁部７Ｌの貫通孔７Ｍに挿入されて、背板４０のネジ孔部４７に捻じ込まれる。
【００３６】
複数の止水材５１〜５４は、シート状のシーラーであり、相対向する部材の間に配置されて、相対向する部材の間の部分をシールする。第１止水材５１は、背板４０と縦枠７の壁部７Ｌの間に配置されて、背板４０と壁部７Ｌの間に挟み込まれる。第２止水材５２は、キャップ８の下面部８Ａに貼り付けられて、下面部８Ａに保持される。また、第２止水材５２は、下面部８Ａの全体に設けられて、下面部８Ａの全体を覆う。２つの止水材５３、５４（第３止水材５３、第４止水材５４）は、キャップ８と縦枠７の壁部７Ｌの間、及び、キャップ８と上枠５の間のそれぞれに配置される。
【００３７】
図６は、本実施形態の２つの止水材５３、５４を示す平面図である。図６Ａは、第３止水材５３を示し、図６Ｂは、第４止水材５４を示している。また、図６では、縦枠７と上枠５を破線で示し、キャップ８を二点鎖線で示している。
図３、図６に示すように、第３止水材５３は、キャップ８と縦枠７の壁部７Ｌの間に挟み込まれて、キャップ８の側面を覆う。第４止水材５４は、キャップ８と上枠５の間に挟み込まれて、上枠５の長手方向の端面とキャップ８の側面を覆う。また、第４止水材５４は、上枠５の突片５Ｅ、５Ｆと縦枠７の内周部７Ａの間に配置されて、上枠５の突片５Ｅ、５Ｆと縦枠７の内周部７Ａの間に挟み込まれる。その状態で、上枠５及びキャップ８は、４つのネジ４２〜４５（雄ネジ）により、縦枠７の壁部７Ｌに取り付けられる。
【００３８】
図７は、本実施形態の建具１の一部を示す正面図であり、キャップ８の周辺部分を室外側からみて示している。また、図７では、建具１の内部構造の一部を破線で示している。
図３、図７に示すように、キャップ８は、小口部７Ｋの開口及びホロー部７Ｊの内側に配置されることなく、ホロー部７Ｊの小口部７Ｋに配置される。また、キャップ８は、第２止水材５２を介して小口部７Ｋに当接した状態で、縦枠７の壁部７Ｌと上枠５の間に位置する。第２止水材５２は、キャップ８の下面部８Ａと小口部７Ｋの間に配置されて、小口部７Ｋの全体を覆う。
【００３９】
キャップ８と上枠５を縦枠７に取り付けるときには、まず、第２ネジ４２を壁部７Ｌの貫通孔７Ｎに挿入して、キャップ８のネジ孔部８Ｎに第２ネジ４２を捻じ込む。第２ネジ４２は、仮止め用のネジであり、キャップ８を縦枠７の壁部７Ｌに止める。続いて、３つのネジ４３〜４５（第３ネジ４３、第４ネジ４４、第５ネジ４５）を壁部７Ｌの貫通孔７Ｏ〜７Ｑにそれぞれ挿入する。また、３つのネジ４３〜４５をキャップ８のガイド部８Ｏ〜８Ｑにそれぞれ挿入する。ガイド部８Ｏ〜８Ｑは、ネジ４３〜４５の直径よりも大きいガイド孔を有するガイド孔部であり、ガイド孔内に挿入されたネジ４３〜４５を壁部７Ｌから上枠５までガイドする。
【００４０】
ネジ４３〜４５は、キャップ８のガイド部８Ｏ〜８Ｑにより、壁部７Ｌの貫通孔７Ｏ〜７Ｑから上枠５までガイドされて、キャップ８を貫通する。ガイド部８Ｏ〜８Ｑは、壁部７Ｌの貫通孔７Ｏ〜７Ｑと上枠５のネジ孔部５Ｏ〜５Ｑとの間に配置されている。キャップ８が２つの止水材５３、５４とともに壁部７Ｌと上枠５の間に位置する状態で、ネジ４３〜４５は、ガイド部８Ｏ〜８Ｑにより、上枠５のネジ孔部５Ｏ〜５Ｑまでガイドされて、ネジ孔部５Ｏ〜５Ｑに捻じ込まれる。これにより、ネジ４３〜４５は、上枠５を縦枠７の壁部７Ｌに取り付けるとともに、壁部７Ｌと上枠５の間に位置するキャップ８と２つの止水材５３、５４を締め付ける。キャップ８は、小口部７Ｋに載せられた状態で、２つの止水材５３、５４とともに壁部７Ｌと上枠５の間に挟まれる。
【００４１】
上枠５の端面は、小口部７Ｋよりも上方では、キャップ８の端部に配置され、小口部７Ｋよりも下方では、縦枠７の内周部７Ａ（ホロー部７Ｊの内周側壁部）に配置される。内周部７Ａにおける上枠５の端面の配置部分では、縦枠７の突片７Ｇが除去されて、第４止水材５４が内周部７Ａに配置される。上枠５は、キャップ８及び内周部７Ａに突き合わされ、第４止水材５４を介してキャップ８及び内周部７Ａと当接する。その状態で、上枠５は、縦枠７に取り付けられて、縦枠７に接続する。第４止水材５４は、キャップ８と上枠５の間、及び、内周部７Ａと上枠５の間に挟み込まれる。
【００４２】
キャップ８の一端部は、縦枠７の壁部７Ｌに突き合わされ、第３止水材５３を介して壁部７Ｌと当接する。また、キャップ８の他端部は、上枠５に突き合わされ、第４止水材５４を介して上枠５と当接する。その状態で、キャップ８は、ネジ４２〜４５により、縦枠７の壁部７Ｌと上枠５の間に取り付けられて、ホロー部７Ｊの小口部７Ｋに保持されている。キャップ８の下面部８Ａは、小口部７Ｋに配置され、小口部７Ｋの開口の全体を覆って、小口部７Ｋの開口を塞ぐ。第２止水材５２は、キャップ８の下面部８Ａと小口部７Ｋの間に挟み込まれる。
【００４３】
図８は、本実施形態の建具１の一部を示す斜視図であり、キャップ８の周辺部分を示している。
図示のように、第１止水材５１により、背板４０と縦枠７の壁部７Ｌの間への水の浸入が防止される。また、第２止水材５２により、キャップ８の下面部８Ａとホロー部７Ｊの小口部７Ｋの間への水の浸入が防止され、キャップ８の下面部８Ａ及び第２止水材５２により、ホロー部７Ｊの内側への水の浸入が防止される。第３止水材５３により、キャップ８と縦枠７の壁部７Ｌの間への水の浸入が防止される。第４止水材５４により、キャップ８と上枠５の間への水の浸入、及び、上枠５と縦枠７の内周部７Ａの間への水の浸入が防止される。
【００４４】
キャップ８の水止め部８Ｅ（キャップ水止め部）は、第４止水材５４を介して、上枠５の水止め部５Ｇ（上枠水止め部）と連続して配置されている。キャップ８の水止め部８Ｅと上枠５の水止め部５Ｇは、一対の縦枠７の壁部７Ｌの間で、上方に突出する水止め壁を形成する。背板４０は、水止め部８Ｅ、５Ｇの上端部に接続して、水止め部８Ｅ、５Ｇの上端部から上方に突出する。
【００４５】
上枠５の上面部５Ｂ（上枠上面部）及びキャップ８の上面部８Ｂ（キャップ上面部）は、ホロー部７Ｊの小口部７Ｋよりも上方の位置に配置されている。キャップ８の上面部８Ｂは、第４止水材５４を介して、上枠５の上面部５Ｂと連続して配置されて、上面部５Ｂの長手方向の端部から上枠５の長手方向の外側に向かって延びる。また、２つの上面部５Ｂ、８Ｂの上面は、同一平面上に配置されている。キャップ８の誘導部８Ｆは、第４止水材５４を介して、上枠５の水切り部５Ｈと連続して配置されて、水切り部５Ｈの長手方向の端部から上枠５の長手方向の外側に向かって延びる。
【００４６】
上枠５の上面部５Ｂの水は、水切り部５Ｈに向かって流れて、水切り部５Ｈの突起５Ｋにより止められる。また、水切り部５Ｈの水は、水切り部５Ｈとキャップ８の誘導部８Ｆの間から流出せずに、誘導部８Ｆに流れる。誘導部８Ｆにより、水は、縦枠７のガイド連結部７Ｈよりも縦枠７の外周部７Ｂ側（壁部７Ｌ側）の位置（誘導位置）まで誘導される（矢印Ｒ参照）。誘導部８Ｆの水は、誘導部８Ｆの突起８Ｈに沿って流れて、誘導部８Ｆの水切り部５Ｈ側の端部から誘導部８Ｆの壁部７Ｌ側の端部まで誘導される。
【００４７】
キャップ８の誘導部８Ｆにより誘導された水は、誘導部８Ｆによる誘導位置で誘導部８Ｆから流出する。誘導部８Ｆによる誘導位置は、建具１を室内側からみたときに（図２参照）、縦枠７とシャッターガイド２２（ここでは、連結片２４）により遮蔽される位置である。そのため、誘導された水は、ホロー部７Ｊの外側（室外側）で、かつ、室内側から視認されずに、縦枠７に沿って落ちる。
【００４８】
キャップ８の誘導部８Ｆは、縦枠７の室外側の空間５５に水を誘導して、空間５５内に水を流出させる。空間５５は、誘導部８Ｆにより誘導された水の排水空間であり、ガイド連結部７Ｈを含む縦枠７とシャッターガイド２２（図２参照）により形成されている。また、空間５５は、ガイド連結部７Ｈよりも縦枠７の外周部７Ｂ側に形成され、建具１を室内側からみたときに、縦枠７とシャッターガイド２２により遮蔽される。ここでは、空間５５は、ガイド連結部７Ｈ、室外側部７Ｄ、当接片７Ｉ、連結片２４、及び、シャッターガイド２２の縦枠７側（室内側）の部分により形成されて、縦枠７の長手方向に延びる。水は、空間５５内で下方に向かって流れて、空間５５の下端部で室外側に排水される。
【００４９】
縦枠７のガイド連結部７Ｈとキャップ８の誘導部８Ｆは、上下方向に離隔して配置されて、互いの間に間隙５６を形成する。ガイド連結部７Ｈの上端部は、キャップ８の室外側部８Ｃ及びホロー部７Ｊの小口部７Ｋよりも下方に位置する。また、ガイド連結部７Ｈは、縦枠７の室外側面７Ｓに形成されて、室外側面７Ｓから室外側に突出している。縦枠７の室外側面７Ｓは、室外側部７Ｄの室外側の面であり、キャップ８は、縦枠７の室外側面７Ｓと面一に配置される室外側面８Ｓを有している。キャップ８の室外側面８Ｓは、室外側部８Ｃの室外側の面であり、誘導部８Ｆの下側に形成されている。室外側面７Ｓ、８Ｓは、第２止水材５２を介して、上下方向に連続して配置されている。
【００５０】
シャッターガイド２２をガイド連結部７Ｈに連結するときに、シャッターガイド２２の上端部を縦枠７の室外側面７Ｓ（縦枠室外側面）とキャップ８の室外側面８Ｓ（キャップ室外側面）とに移動する。これにより、シャッターガイド２２の位置を調整し、シャッターガイド２２をガイド連結部７Ｈへの連結位置に配置する。また、例えば、シャッターガイド２２をケンドン式で枠体４に装着するときには、シャッターガイド２２の上端部を縦枠７の室外側面７Ｓからキャップ８の室外側面８Ｓまで移動する。続いて、シャッターガイド２２を縦枠７に沿って下方に移動して、シャッターガイド２２をガイド連結部７Ｈへの連結位置に配置する。
【００５１】
以上説明したように、本実施形態の建具１では、キャップ８をホロー部７Ｊの小口部７Ｋに容易に配置して、キャップ８の下面部８Ａにより、小口部７Ｋの開口を塞ぐことができる。そのため、縦枠７のホロー部７Ｊの小口部７Ｋにおける止水性能を容易に確保することができる。また、キャップ８の誘導部８Ｆにより水を誘導することで、シャッターカーテン２１を閉めた状態で、縦枠７に沿って落ちる水が室内から視認されるのを抑制することができる。誘導部８Ｆにより、縦枠７とシャッターガイド２２により形成される空間５５に水を誘導することで、水が室内から視認されるのをより確実に抑制することができる。
【００５２】
ネジ４３〜４５により、上枠５を縦枠７の壁部７Ｌに取り付けると同時に、キャップ８を壁部７Ｌと上枠５の間に取り付けることができる。また、ネジ４３〜４５の締め付けにより、止水材５３、５４のそれぞれを両側の部材に密着させて、止水材５３、５４による止水を確実に行うことができる。止水材５３、５４を確実に圧縮できるとともに、止水材５３、５４を所定の厚みに圧縮することもできる。キャップ８のガイド部８Ｏ〜８Ｑにより、ネジ４３〜４５を壁部７Ｌから上枠５まで円滑かつ確実に移動することができる。その結果、ネジ４３〜４５により、上枠５の壁部７Ｌへの取り付け、及び、キャップ８と止水材５３、５４の締め付けを確実に行うことができる。
【００５３】
上枠５の水止め部５Ｇとキャップ８の水止め部８Ｅにより、上面部５Ｂ、８Ｂから室内側へ向かう水を止めて、水の室内側への流出を防止することができる。これにより、枠体４の止水性能を更に向上することができる。縦枠７の室外側面７Ｓとキャップ８の室外側面８Ｓが面一であるため、シャッターガイド２２の上端部を室外側面７Ｓ、８Ｓに沿って円滑に移動することができる。そのため、シャッターガイド２２をガイド連結部７Ｈへの連結位置に円滑に配置して、シャッターガイド２２をガイド連結部７Ｈに容易に連結することができる。
【００５４】
なお、１つのホロー部７Ｊを縦枠７に形成してもよく、複数のホロー部７Ｊを縦枠７に形成してもよい。縦枠７が１つのホロー部７Ｊを有するときには、キャップ８は、１つのホロー部７Ｊの小口部７Ｋに当接して、下面部８Ａにより、１つの小口部７Ｋの開口を塞ぐ。これに対し、縦枠７が複数のホロー部７Ｊを有するときには、キャップ８は、複数のホロー部７Ｊの小口部７Ｋに当接して、下面部８Ａにより、複数の小口部７Ｋの開口を塞ぐ。キャップ８の下面部８Ａを小口部７Ｋに合致する形状に形成してもよく、キャップ８の下面部８Ａを小口部７Ｋからホロー部７Ｊの外側にはみ出すように形成してもよい。
【００５５】
以上、引き違い窓を例にとり、建具１について説明したが、建具１は、他の建具（例えば、片引き窓、上げ下げ窓、固定窓）であってもよい。本発明は、シャッター２が設けられる種々の建具に適用することができる。
【符号の説明】
【００５６】
１・・・建具、２・・・シャッター、３・・・障子、４・・・枠体、５・・・上枠、６・・・下枠、７・・・縦枠、８・・・キャップ、１０・・・框体、１１・・・パネル体、１２・・・上框、１３・・・下框、１４・・・召し合せ框、１５・・・戸先框、２０・・・シャッターケース、２１・・・シャッターカーテン、２２・・・シャッターガイド、２３・・・ガイドレール、２４・・・連結片、２５・・・縦縁部、３０・・・建物、４０・・・背板、４１・・・第１ネジ、４２・・・第２ネジ、４３・・・第３ネジ、４４・・・第４ネジ、４５・・・第５ネジ、４６・・・係合部、４７・・・ネジ孔部、５１・・・第１止水材、５２・・・第２止水材、５３・・・第３止水材、５４・・・第４止水材、５５・・・空間、５６・・・間隙。
【図１】
2019183442.tif 000003
【図２】
2019183442.tif 000004
【図３】
2019183442.tif 000005
【図４】
2019183442.tif 000006
【図５】
2019183442.tif 000007
【図６】
2019183442.tif 000008
【図７】
2019183442.tif 000009
【図８】
2019183442.tif 000010